(57)【要約】【課題】より取り付けの手間がかからない壁用換気ユニットを得る。【解決手段】建物の外壁２の裏側に形成された通気層３内で空気を通流させる壁用換気ユニット１を、ソーラパネル８と、当該ソーラパネル８によって生じた電力によって回転駆動される電動ファン９と、を一体に備えるものとして構成した。【選択図】図１
2010255919.tif 000002
【特許請求の範囲】
【請求項１】
建物の外壁の裏側に形成された通気層内で空気を通流させる壁用換気ユニットであって、
ソーラパネルと、当該ソーラパネルによって生じた電力によって回転駆動される電動ファンと、を一体に備えることを特徴とする壁用換気ユニット。
【請求項２】
前記通気層の基礎側開口部に臨むように取り付けられることを特徴とする請求項１に記載の壁用換気ユニット。
【請求項３】
前記ソーラパネルが、上方から下方に向かうにつれて前記外壁の表面から離間する方向に張り出す傾斜姿勢で配置され、
前記電動ファンが、前記ソーラパネルの裏側に配置されることを特徴とする請求項１または２に記載の壁用換気ユニット。
【請求項４】
前記電動ファンが、回転軸が横向きに配置される軸流ファンと、当該軸流ファンに対して前記ソーラパネルが張り出す側に配置される電動モータと、を有することを特徴とする請求項３に記載の壁用換気ユニット。
【請求項５】
前記外壁に対して前記通気層を介して屋内側に配置される壁下地材に固定されるベース部材と、前記ソーラパネルおよび前記電動ファンを有し前記ベース部材に取り付けられる本体部と、を備えることを特徴とする請求項１〜４のうちいずれか一つに記載の壁用換気ユニット。
【発明の詳細な説明】
【技術分野】
【０００１】
本発明は、壁用換気ユニットに関する。
【背景技術】
【０００２】
従来、ソーラパネル（太陽電池）の電力で駆動するファンを用いて、建物の外壁の裏側に形成した通気層内に空気を通流させる構造が知られている（例えば特許文献１）。
【先行技術文献】
【特許文献】
【０００３】
【特許文献１】特開平６−２６１１８号公報
【発明の概要】
【発明が解決しようとする課題】
【０００４】
しかしながら、上記特許文献１の構造では、ソーラパネルとファンとが別個に取り付けられているため、取り付けの手間がかかるという問題があった。
【０００５】
そこで、本発明は、より取り付けの手間がかからない壁用換気ユニットを得ることを目的とする。
【課題を解決するための手段】
【０００６】
請求項１の発明にあっては、建物の外壁の裏側に形成された通気層内で空気を通流させる壁用換気ユニットであって、ソーラパネルと、当該ソーラパネルによって生じた電力によって回転駆動される電動ファンと、を一体に備えることを特徴とする。
【０００７】
請求項２の発明にあっては、上記通気層の基礎側開口部に臨むように取り付けられることを特徴とする。
【０００８】
請求項３の発明にあっては、上記ソーラパネルが、上方から下方に向かうにつれて上記外壁の表面から離間する方向に張り出す傾斜姿勢で配置され、上記電動ファンが、上記ソーラパネルの裏側に配置されることを特徴とする。
【０００９】
請求項４の発明にあっては、上記電動ファンが、回転軸が横向きに配置される軸流ファンと、当該軸流ファンに対して上記ソーラパネルが張り出す側に配置される電動モータと、を有することを特徴とする。
【００１０】
請求項５の発明にあっては、上記外壁に対して上記通気層を介して屋内側に配置される壁下地材に固定されるベース部材と、上記ソーラパネルおよび上記電動ファンを有し上記ベース部材に取り付けられる本体部と、を備えることを特徴とする。
【発明の効果】
【００１１】
請求項１の発明によれば、ソーラパネルと電動ファンとを一体化したため、これらが別体となった構成に比べて、取り付けの手間を減らすことができる。
【００１２】
請求項２の発明によれば、壁用換気ユニットの取付作業を低い位置で行うことができる分、高い位置で行う場合に比べて、取り付けの手間を減らすことができる。
【００１３】
請求項３の発明によれば、ソーラパネルを外壁の表面から張り出す姿勢に配置することで生じるソーラパネルの裏面側のスペースに電動ファンを収容することができるため、壁用換気ユニットをよりコンパクトに構成することができる。
【００１４】
請求項４の発明によれば、軸流ファンを壁に沿う姿勢で配置することで、外壁からの突出量が比較的小さい壁用換気ユニットにおいても、よりサイズの大きな軸流ファンを採用しやすくなって、風量を確保しやすくなる。
【００１５】
請求項５の発明によれば、ベース部材を介して本体部を取り付けることで、取付作業の効率を向上することができる。
【図面の簡単な説明】
【００１６】
【図１】図１は、本発明の実施形態にかかる壁用換気ユニットを建物に取り付けた状態を示す側面図である。
【図２】図２は、本発明の実施形態にかかる壁用換気ユニットの本体部の側面図である。
【図３】図３は、図２の矢視IIIにおける側面図（裏面側から見た図）である。
【図４】図４は、図２の矢視IVにおける側面図（表面側から見た図）である。
【図５】図５は、本発明の実施形態にかかる壁用換気ユニットのベース部材の側面図である。
【図６】図６は、図５の矢視VIにおける平面図（上側から見た図）である。
【図７】図７は、図５の矢視VIIにおける側面図（表面側から見た図）である。
【発明を実施するための形態】
【００１７】
以下、本発明の実施形態について図面を参照しながら詳細に説明する。
【００１８】
壁用換気ユニット１は、外壁２の裏面側に形成された通気層３内で空気を通流させるものである。本実施形態では、壁用換気ユニット１は、外壁２の下端２ａと壁下地材５との間に形成された基礎側開口部３ａに臨むように取り付けられており、壁用換気ユニット１から送出された空気は、基礎側開口部３ａから通気層３内に送り込まれる。通気層３内では、上方へ向かう空気流が形成され、上方に形成した出口（図示せず）から空気が排出される。出口は、外壁２の上方に形成してもよいし、屋根に形成して、通気層３から屋根裏に導入した空気を排出するようにしてもよい。
【００１９】
本実施形態では、壁下地材５の表側（外壁２側）に、通気性かつ防水性を有するシート６が張られており、このシート６と外壁２との間の隙間が通気層３となっている。なお、通気層３を成す隙間は、例えば、壁下地材５と外壁２との間に別の壁下地材５ａ（例えば胴縁等）を介在させることで形成することができる。この場合、介在させる壁下地材５ａは上下方向に沿う姿勢で、横方向に所定の間隔をあけて配置するのが好適である。
【００２０】
壁用換気ユニット１は、基礎４の外面を離間して覆う土台水切り７上に配置されている。また、壁用換気ユニット１の上端部には、通気層３内に下から挿入される水返し１ｄが形成される一方、壁用換気ユニット１の外面の下端部には、水切り１ｅが形成されている。これらにより、壁用換気ユニット１内、あるいは通気層３内に外部から水が進入するのが抑制されている。
【００２１】
壁用換気ユニット１の内部には、下方の吸気口１ｂから上方の排気口１ｃに至る空気通路１ａが形成されており、この空気通路１ａ内に空気流を生じさせる電動ファン９が配置されている。また、壁用換気ユニット１の外表面には、上方から下方に向かうにつれて外壁２の表面から離間する方向に張り出す傾斜姿勢で、ソーラパネル８が配置されており、このソーラパネル８によって生じた電力で、電動ファン９が駆動される。なお、電動ファン９の動作は、ボックス１４内に収容された制御回路によって制御される。電動ファン９の制御のため、温度センサや湿度センサ等の各種センサを設けたり、タイマを設けたりしてもよい。
【００２２】
また、本実施形態では、壁用換気ユニット１は、ソーラパネル８および電動ファン９を有する本体部１０と、壁下地材５に固定されるベース部材１１と、を一体化したものとして構成される。ベース部材１１は、ねじ等の締結具１７を用いて壁下地材５に取り付けられ、その締結具１７を屋外側から覆うように、ベース部材１１に本体部１０が取り付けられる。かかる構成により、壁下地材５にまずは比較的軽いベース部材１１を取り付けることができるため、全てが一体化された重いものを壁下地材５に取り付ける場合に比べて、取り付けや取り外しの作業を楽に行うことができる。
【００２３】
図２〜図４に示すように、本体部１０は、合成樹脂の成型品等からなるケーシング１２を備え、このケーシング１２にソーラパネル８や電動ファン９を取り付けてある。図３および図４に示すように、本実施形態では、本体部１０（すなわち壁用換気ユニット１）は、外壁２の下縁に沿って横に長い形状となっている。この横長形状に合わせて、ソーラパネル８は横に長い長方形状に形成されるとともに、電動ファン９は複数横に並べて配置されている。
【００２４】
図２に示すように、ケーシング１２は、上方から下方に向けて外壁２から離間する方向に張り出す略矩形板状の傾斜外壁部１２ａや、下側で略水平姿勢で配置される略矩形板状の底壁部１２ｂ、屋内側で立てた姿勢で配置される縦壁部１２ｃ等を、備えている。
【００２５】
また、傾斜外壁部１２ａの表面側には、ソーラパネル８が嵌め込まれている。このように斜めに傾斜させた姿勢で配置することで、ソーラパネル８の受光効率を高めてある。
【００２６】
そして、本実施形態では、傾斜させたソーラパネル８の裏側となる空間、すなわち、傾斜外壁部１２ａ、底壁部１２ｂ、および縦壁部１２ｃで囲まれた略三角形状の断面を有する空間に、電動ファン９を配置してある。
【００２７】
底壁部１２ｂには開口部１２ｅが形成される一方、縦壁部１２ｃには開口部１２ｆが形成され、ケーシング１２の内部に、開口部１２ｅから開口部１２ｆに至る空気通路１２ｄが形成されている。なお、開口部１２ｅは壁用換気ユニット１の吸気口１ｂとなり、空気通路１２ｄは壁用換気ユニット１の空気通路１ａとなる。電動ファン９は、この空気通路１ａ内に配置されるように、ブラケット１３を介してケーシング１２に固定される。なお、開口部１２ｅ，１２ｆは、適宜にメッシュやフィルタ等で覆ってもよい。
【００２８】
また、ケーシング１２のベース部材１１に対向する側には、ベース部材１１の係止爪１５ｆ，１５ｇ（図５参照）を受け入れる係止孔１２ｇ，１２ｈが形成されており、これら係止爪１５ｆ，１５ｇと係止孔１２ｇ，１２ｈとが係合することにより、本体部１０とベース部材１１とが一体化されるようになっている。
【００２９】
また、本実施形態では、電動ファン９は、電動モータ９Ｍと軸流ファン９Ｆとを一体化したものとして構成されており、軸流ファン９Ｆの回転軸Ａｘを略横向きにして、軸流ファン９Ｆが縦壁部１２ｃに略沿って回転するようにしてある。そして、軸流ファン９Ｆを縦壁部１２ｃに近い側に配置し、電動モータ９Ｍを縦壁部１２ｃから遠い側に配置してある。図２を参照すれば、底壁部１２ｂから傾斜外壁部１２ａまでの上下方向の高さは、縦壁部１２ｃに近いほど（図２では左側に向かうほど）大きく、縦壁部１２ｃから遠いほど（図２では右側に向かうほど）小さくなる一方、軸流ファン９Ｆの外径は電動モータ９Ｍの外径より大きいことがわかる。したがって、本実施形態での電動モータ９Ｍおよび軸流ファン９Ｆのレイアウトが、傾斜外壁部１２ａ、底壁部１２ｂ、および縦壁部１２ｃで囲まれた略三角形状の断面を有する空間に良好に適合するものであることが理解できよう。
【００３０】
特に、壁用換気ユニット１の外壁２からの張出量を大きくし難いような場合には、底壁部１２ｂの幅は大きくし難くなるものの、縦壁部１２ｃの高さは比較的大きく確保しやすい。したがって、本実施形態のレイアウト、すなわち、軸流ファン９Ｆの回転軸Ａｘを略横向きにして、軸流ファン９Ｆを電動モータ９Ｍよりも縦壁部１２ｃに近付ける（屋内側に配置する）とともに、軸流ファン９Ｆを縦壁部１２ｃに略沿わせて回転させるレイアウトによれば、そのような場合にあっても、軸流ファン９Ｆのサイズ（直径）を比較的大きく確保しやすくなり、風量をより多くしやすくなるという利点がある。
【００３１】
図５〜図７に示すように、ベース部材１１は、合成樹脂の成型品等からなるケーシング１５を備えている。ケーシング１５は、外壁２の表面と垂直な方向（図５の左右方向）には比較的薄く、かつ、外壁２の下縁に沿って（図６の左右方向に沿って）横に長い、扁平な箱状に形成されている。そして、ケーシング１５は、本体部１０に対向する外壁部１５ａや、壁下地材５に対向する内壁部１５ｂ、底壁部１５ｃ等を備えている。
【００３２】
外壁部１５ａには、縦壁部１２ｃに形成された開口部１２ｆと重なり合う開口部１５ｄが形成されている。ケーシング１５の上端部には、壁用換気ユニット１の排気口１ｃとなる開口部１５ｅが形成されている。そして、ケーシング１５の内部に、開口部１５ｄから開口部１５ｅ（排気口１ｃ）に至る空気通路１５ｊが形成されている。
【００３３】
内壁部１５ｂには、貫通孔としての取付穴１５ｉが穿設されており、この取付穴１５ｉを貫通させたねじ等の締結具１７によって、ベース部材１１が壁下地材５に固定される。また、図７に示すように、取付穴１５ｉには、開口部１５ｄを介してアクセスできるようにしてある。この開口部１５ｄは、取付穴１５ｉを利用した取付作業の後に、メッシュフィルタ１６等で覆うようにしてもよい。なお、底壁部１５ｃの最下部には貫通孔１５ｈが形成されており、この貫通孔１５ｈが壁用換気ユニット１の水抜き孔１ｆとなる。
【００３４】
上記構成の壁用換気ユニット１を取り付ける際には、まずは、壁下地材５に締結具１７等を用いてベース部材１１を取り付け、その後、ベース部材１１の表面側を覆うように本体部１０を取り付ける。こうして、下方から外気を導入して通気層３内に基礎側開口部３ａから空気を送り込む壁用換気ユニット１が設置される。
【００３５】
以上説明したように、本実施形態では、建物の外壁２の裏側に形成された通気層３内で空気を通流させる壁用換気ユニット１を、ソーラパネル８と、当該ソーラパネル８によって生じた電力によって回転駆動される電動ファン９と、を一体に備えるものとして構成した。よって、ソーラパネル８と電動ファン９とを一体化した分、これらを別個に取り付ける場合に比べて、取り付けや取り外しの作業の手間を減らすことができる。
【００３６】
また、本実施形態では、壁用換気ユニット１を、通気層３の基礎側開口部３ａに臨むように取り付けた。よって、壁用換気ユニット１の取り付けや取り外しの作業を低い位置で行うことができる分、高い位置で梯子や脚立等を用いたり屋根に上ったりして行う場合に比べて、作業の手間を減らすことができる。
【００３７】
また、本実施形態では、ソーラパネル８を、上方から下方に向かうにつれて外壁２の表面から離間する方向に張り出す傾斜姿勢で配置し、電動ファン９を、ソーラパネル８の裏側に配置した。すなわち、ソーラパネル８を外壁２の表面から張り出す傾斜姿勢に配置することで生じるソーラパネル８の裏面側のスペースを有効に利用して電動ファン９を配置することができ、壁用換気ユニット１をよりコンパクトに構成することができる。
【００３８】
また、本実施形態では、電動ファン９を、回転軸Ａｘが横向きに配置される軸流ファン９Ｆと、当該軸流ファン９Ｆに対してソーラパネル８が張り出す側に配置される電動モータ９Ｍと、を有するものとして構成した。すなわち、軸流ファン９Ｆを壁に沿う姿勢で配置することで、外壁２からの突出量が比較的小さい壁用換気ユニット１においても、よりサイズの大きな軸流ファン９Ｆを採用しやすくなって、風量を確保しやすくなる。
【００３９】
また、本実施形態では、壁用換気ユニット１を、外壁２に対して通気層３を介して屋内側に配置される壁下地材５に固定されるベース部材１１と、ソーラパネル８および電動ファン９を有しベース部材１１に取り付けられる本体部１０と、を一体化したものとして構成した。すなわち、ベース部材１１を介して本体部１０を取り付けることで、取り付けや取り外しの作業の効率を向上することができる。また、ベース部材１１を取り付けるねじ等の締結具１７を本体部１０で隠すことができるため、美観の向上を図りやすくなるという利点もある。
【００４０】
以上、本発明の好適な実施形態について説明したが、本発明は上記実施形態には限定されず、種々の変形が可能である。各部のスペック（形状、材質、大きさ等）も適宜に変更して実施することが可能である。
【符号の説明】
【００４１】
１  壁用換気ユニット
２  外壁
３  通気層
３ａ  基礎側開口部
４  基礎
５  壁下地材
８  ソーラパネル
９  電動ファン
９Ｆ  軸流ファン
９Ｍ  電動モータ
１０  本体部
１１  ベース部材
Ａｘ  回転軸
【図１】
2010255919.tif 000003
【図２】
2010255919.tif 000004
【図３】
2010255919.tif 000005
【図４】
2010255919.tif 000006
【図５】
2010255919.tif 000007
【図６】
2010255919.tif 000008
【図７】
2010255919.tif 000009